(57)【要約】【課題】画像読取処理以外の場合に、原稿台を開閉自在に覆う開閉部材が開いた状態となることを防止できる画像読取装置を提供する。【解決手段】画像読取処理制御部６００は、画像読取処理が終了したことを検知し、開閉検知信号を出力する。発光部材処理部６１０の処理により、発光部材５０が、画像読取処理の場合よりも光量が小さくなるように点灯する。光量比較部６２６は、受信した読取データから、プラテンカバー部１１０が閉じているか否かを判断し、開いている場合、警告部６３０は、使用者に対し、プラテンカバー部１１０が開いていることを通知する。【選択図】図７
2014011766.tif 000002
【特許請求の範囲】
【請求項１】
原稿に形成された画像を読み取る画像読取部と、
前記画像読取部によって画像が読み取られる原稿が置かれる原稿台と、
前記原稿台に置かれた原稿に対して光を照射する発光部材と、
前記原稿台を開閉自在に覆う開閉部材と、
前記開閉部材の開閉を検知するための処理を行う開閉検知部と
を有し、
前記開閉検知部は、
前記発光部材を、前記画像読取部が画像を読み取っていない場合に点灯させるように制御する発光部材制御手段と、
前記発光部材制御手段により前記発光部材を点灯させるように制御した場合、前記画像読取部による読取値に基づいて、前記開閉部材の開閉を検知する検知手段と
を有する
画像読取装置。
【請求項２】
前記発光部材制御手段は、前記発光部材を、前記画像読取部が原稿を読み取っていない場合に、前記画像読取部が画像を読み取るときよりも光量が小さくなるよう点灯させるように制御する
請求項１に記載の画像読取装置。
【請求項３】
前記開閉検知部は、
前記検知手段によって前記開閉部材が開いていると検知された場合に、前記開閉部材が開いていることを示す警告を通知する警告手段
をさらに有する
請求項１に記載の画像読取装置。
【請求項４】
前記開閉検知部は、前記検知手段によって前記開閉部材が開いていると検知された場合に、第１の期間経過後に、再び、前記開閉部材の開閉を検知するための処理を行う
請求項１に記載の画像読取装置。
【請求項５】
前記開閉検知部は、前記検知手段によって前記開閉部材が閉じていると検知された場合に、前記第１の期間よりも長い第２の期間経過後に、再び、前記開閉部材の開閉を検知するための処理を行う
請求項４に記載の画像読取装置。
【請求項６】
原稿に形成された画像を読み取る画像読取部が画像を読み取っていない場合に、前記画像読取部によって画像が読み取られる原稿が置かれる原稿台に置かれた原稿に対して光を照射する発光部材を点灯させるように制御する発光部材制御手段と、
前記発光部材制御手段により前記発光部材を点灯させるように制御した場合、前記画像読取部による読取値に基づいて、前記原稿台を開閉自在に覆う開閉部材の開閉を検知する検知手段と
を有する開閉検知装置。
【請求項７】
原稿に形成された画像を読み取る画像読取部が画像を読み取っていない場合に、前記画像読取部によって画像が読み取られる原稿が置かれる原稿台に置かれた原稿に対して光を照射する発光部材を点灯させるように制御する発光部材制御ステップと、
前記発光部材制御ステップにおいて前記発光部材を点灯させるように制御した場合、前記画像読取部による読取値に基づいて、前記原稿台を開閉自在に覆う開閉部材の開閉を検知する検知ステップと
をコンピュータに実行させるプログラム。
【発明の詳細な説明】
【技術分野】
【０００１】
本発明は、画像読取装置、開閉検知装置及びそのプログラムに関する。
【背景技術】
【０００２】
特許文献１は、原稿カバーによる原稿台上面の開閉状態を検出し、原稿移動モードの実行の可否を決定することにより、原稿カバーによって原稿台上面が完全に閉鎖されていない状態で原稿が搬送されることに起因する原稿読取位置における原稿のジャムの発生を確実に防止することができる原稿読取装置の開閉検出装置を開示する。
【先行技術文献】
【特許文献】
【０００３】
【特許文献１】特開２００１−５６５１５号公報
【発明の概要】
【発明が解決しようとする課題】
【０００４】
本発明の目的は、画像読取処理以外の場合に、原稿台を開閉自在に覆う開閉部材が開いた状態となることを防止できる画像読取装置を提供することである。
【課題を解決するための手段】
【０００５】
請求項１にかかる本発明は、原稿に形成された画像を読み取る画像読取部と、前記画像読取部によって画像が読み取られる原稿が置かれる原稿台と、前記原稿台に置かれた原稿に対して光を照射する発光部材と、前記原稿台を開閉自在に覆う開閉部材と、前記開閉部材の開閉を検知するための処理を行う開閉検知部とを有し、前記開閉検知部は、前記発光部材を、前記画像読取部が画像を読み取っていない場合に点灯させるように制御する発光部材制御手段と、前記発光部材制御手段により前記発光部材を点灯させるように制御した場合、前記画像読取部による読取値に基づいて、前記開閉部材の開閉を検知する検知手段とを有する画像読取装置である。
【０００６】
請求項２にかかる本発明は、前記発光部材制御手段は、前記発光部材を、前記画像読取部が原稿を読み取っていない場合に、前記画像読取部が画像を読み取るときよりも光量が小さくなるよう点灯させるように制御する請求項１に記載の画像読取装置である。
【０００７】
請求項３にかかる本発明は、前記開閉検知部は、前記検知手段によって前記開閉部材が開いていると検知された場合に、前記開閉部材が開いていることを示す警告を通知する警告手段をさらに有する請求項１に記載の画像読取装置である。
【０００８】
請求項４にかかる本発明は、前記開閉検知部は、前記検知手段によって前記開閉部材が開いていると検知された場合に、第１の期間経過後に、再び、前記開閉部材の開閉を検知するための処理を行う請求項１に記載の画像読取装置である。
【０００９】
請求項５にかかる本発明は、前記開閉検知部は、前記検知手段によって前記開閉部材が閉じていると検知された場合に、前記第１の期間よりも長い第２の期間経過後に、再び、前記開閉部材の開閉を検知するための処理を行う請求項４に記載の画像読取装置である。
【００１０】
請求項６にかかる本発明は、原稿に形成された画像を読み取る画像読取部が画像を読み取っていない場合に、前記画像読取部によって画像が読み取られる原稿が置かれる原稿台に置かれた原稿に対して光を照射する発光部材を点灯させるように制御する発光部材制御手段と、前記発光部材制御手段により前記発光部材を点灯させるように制御した場合、前記画像読取部による読取値に基づいて、前記原稿台を開閉自在に覆う開閉部材の開閉を検知する検知手段とを有する開閉検知装置である。
【００１１】
請求項７にかかる本発明は、原稿に形成された画像を読み取る画像読取部が画像を読み取っていない場合に、前記画像読取部によって画像が読み取られる原稿が置かれる原稿台に置かれた原稿に対して光を照射する発光部材を点灯させるように制御する発光部材制御ステップと、前記発光部材制御ステップにおいて前記発光部材を点灯させるように制御した場合、前記画像読取部による読取値に基づいて、前記原稿台を開閉自在に覆う開閉部材の開閉を検知する検知ステップとをコンピュータに実行させるプログラムである。
【発明の効果】
【００１２】
請求項１に係る本発明によれば、画像読取処理以外の場合に、原稿台を開閉自在に覆う開閉部材が開いた状態となることを防止できる画像読取装置を提供できる。
【００１３】
請求項２に係る本発明によれば、請求項１に係る本発明により得られる効果に加えて、本構成を有しない場合と比較して、開閉部材が開いた状態であっても使用者にとって眩しくないように開閉検知処理を実行できる画像読取装置を提供できる。
【００１４】
請求項３に係る本発明によれば、請求項１に係る本発明により得られる効果に加えて、開閉部材が開いた状態であることを使用者に通知できる画像読取装置を提供できる。
【００１５】
請求項４に係る本発明によれば、請求項１に係る本発明により得られる効果に加えて、本構成を有しない場合と比較して、より確実に、開閉部材が開いた状態となることを防止できる画像読取装置を提供できる。
【００１６】
請求項５に係る本発明によれば、請求項４に係る本発明により得られる効果に加えて、本構成を有しない場合と比較して、電力消費を抑制しつつ、長時間、開閉部材が開いた状態となることを防止できる画像読取装置を提供できる。
【００１７】
請求項６に係る本発明によれば、画像読取処理以外の場合に、原稿台を開閉自在に覆う開閉部材が開いた状態となることを防止できる開閉検知装置を提供できる。
【００１８】
請求項７に係る本発明によれば、画像読取処理以外の場合に、原稿台を開閉自在に覆う開閉部材が開いた状態となることを防止できるプログラムを提供できる。
【図面の簡単な説明】
【００１９】
【図１】本実施形態に係る画像形成装置を示す正面図である。
【図２】画像読取装置を示す図である。
【図３】図２に示す制御装置のハードウェア構成を示す図である。
【図４】第１の実施形態に係る発光部材制御回路を示す図である。
【図５】第１の実施形態に係る読取プログラムを示すブロック・ダイアグラムである。
【図６】第１の実施形態における発光部材の光量と主走査方向との関係を示すグラフである。
【図７】本実施形態に係る開閉検知処理を示すフローチャートである。
【図８】第２の実施形態に係る発光部材制御回路を示す図である。
【図９】第２の実施形態に係る読取プログラムを示すブロック・ダイアグラムである。
【図１０】第２の実施形態に係る発光部材点灯信号発信部が発信する信号を示す図であり、（Ａ）は、画像読取処理の場合の信号であり、（Ｂ）は、開閉検知処理の場合の信号である。
【図１１】第３の実施形態に係る発光部材制御回路を示す図である。
【図１２】第３の実施形態に係る読取プログラムを示すブロック・ダイアグラムである。
【図１３】第３の実施形態における発光部材の光量と主走査方向との関係を示すグラフである。
【発明を実施するための形態】
【００２０】
［第１の実施形態］
次に本実施形態を図面に基づいて説明する。
図１には、本実施形態に係る画像形成装置１０の概要が示されている。また、図２には、画像読取装置１００が示されている。
画像形成装置１０は、画像読取装置１００と、画像読取装置１００が読み取った画像情報に基づいて画像形成を行う画像形成部１２とを有する。
画像形成部１２は、例えば電子写真方式のもので、シート（記録媒体）が積載された状態で収納されるシート収納容器１６を有し、シート収納容器１６からシート搬送路２０に供給されたシートに画像を形成するようになっている。
【００２１】
画像形成部１２は、画像形成部本体１４を有し、画像形成部本体１４内に、例えば感光体ドラムが用いられる像保持体２２と、像保持体２２を一様に帯電する帯電器２４と、帯電器２４により一様に帯電された像保持体２２に潜像を形成する露光装置２６と、露光装置２６により形成された像保持体２２上の潜像をトナーで可視化する現像装置２８と、現像装置２８により形成されたトナー像を、中間転写体として用いられる中間転写ベルト３０に転写する一次転写装置３２と、像保持体２２に残ったトナーをクリーニングする感光体クリーナ３４とが装着されている。
【００２２】
また、画像形成部本体１４内には、中間転写ベルト３０に転写されたトナー像をシートに転写する二次転写装置３８と、シートに転写された用紙を該シートに定着する定着装置４０と、中間転写ベルト３０をクリーニングする中間転写ベルトクリーナ４４とが装着されている。
【００２３】
また、例えば画像形成部本体１４の、例えば正面側には、ユーザインターフェースとして用いられる操作パネル３０２が装着されている。
画像形成部本体１４の例えば右側面側には、画像形成がなされたシートが排出される排出部４２が装着されている。
【００２４】
露光装置２６は、例えばレーザ走査方式のもので、画像読取装置１００が有する後述する光電変換素子１３８（図２）で読み取った原稿の画像情報をレーザのオンオフ信号に変えて出力する。
現像装置２８は、例えばロータリ式のもので、Ｙ，Ｍ，Ｃ，Ｋ４色の現像器３６ａ，３６ｂ，３６ｃ，３６ｄを例えば周囲に配置されるように有し、各色を現像するときに像保持体２２に対峙するよう回転する。
一次転写装置３２は例えばコロトロンから構成され、一次転写装置３２により４色のトナー像が中間転写ベルト３０に転写される。中間転写ベルト３０に転写されたトナー像は、二次転写装置３８によりシートに転写され、このシートが定着装置４０に送られ、定着装置４０によりトナー像がシートに定着され、トナー像が定着されたシートが排出部４２に排出される。中間転写ベルト３０に残ったトナーは中間転写ベルトクリーナ４４により掻き落される。
【００２５】
操作パネル３０２は、画像形成部１２で、例えば黒のトナー単色からなる単色画像を形成するのか、例えばイエロー、マゼンタ、シアン、黒のトナーで形成される多色画像を形成するのかの選択や、画像の倍率及び画質などを設定等の複数の動作モードを選択することができるようになっている。また、操作パネル３０２は、画像読取装置１００が原稿を読み取る際の領域である原稿読取領域の設定や、画像読取装置１００が原稿を読み取る複数のスキャンスピード（倍率）、白黒読み取り又はカラー読み取り、原稿搬送方法、複数サイズからの原稿サイズの設定等、複数の動作モードを選択することができるようになっている。
【００２６】
シート搬送路２０には、レジストロール４６が配置されている。レジストロール４６は、供給されたシートを一時停止させ、中間転写ベルト３０にトナー像が形成されるタイミングと同期してシートを二次転写装置３８にシートを供給するように制御される。
【００２７】
画像読取装置１００は、原稿Ｄが置かれ、光を透過する透過部として用いられ、光を透過する材質である例えばガラスから形成されるプラテン部材１０６（原稿台）を有している。さらに、画像読取装置１００は、画像読取装置本体１０４と、画像読取装置本体１０４に開閉可能に設けられ（図２の矢印Ｂで示す）、開閉部として用いられるプラテンカバー部１１０（開閉部材）と、画像読取装置１００の動作を制御する制御装置２００（開閉検知部・開閉検知装置）と、後述する発光部材５０を制御する発光部材制御回路５２とを有している。
【００２８】
画像読取装置本体１０４は筐体として形成され、画像読取装置本体１０４内には、プラテン部材１０６に載せられた原稿に光を照射し、照射した光の原稿からの反射光に基づいて原稿に形成された画像を読み取る画像読取ユニット１３０（画像読取部）が装着されている。
画像読取ユニット１３０は、画像読取装置本体１０４に支持された案内部材（図示せず）に移動可能に支持されている。画像読取ユニット１３０は、原稿に形成された画像を読み取る際に、画像読取装置本体１０４内において、図２の矢印Ａで示すように、副走査方向に案内部材に沿って移動する。これにより、画像読取ユニット１３０は、プラテン部材１０６上に載せられた原稿の画像を読み取る場合には、副走査方向に移動しながら原稿の読み取りを行うことができる。
また、プラテンカバー部１１０内には、原稿Ｄを自動で搬送する原稿搬送装置１６０が装着されている。画像読取装置１００は、原稿搬送装置１６０により搬送中の原稿Ｄを流し読みする機能と、プラテン部材１０６上に載置された原稿Ｄを読み取る機能とを備えている。
【００２９】
画像読取ユニット１３０には、光源である複数の発光部材５０と、ミラー等の反射板１３４ａ〜１３４ｄと、結像レンズ１３６と、受光素子である光電変換素子１３８とが設けられている。
発光部材５０は、主走査方向に複数配置され、例えばＬＥＤ（Light Emitting Diode：発光ダイオード）等の発光素子を有するＬＥＤチップである。
【００３０】
複数の発光部材５０から放射された光は、プラテン部材１０６上に載せられた原稿の主走査方向全体に照射される。
また、プラテン部材１０６上に原稿が載せられていない場合、複数の発光部材５０から放射された光は、プラテンカバー部１１０に設けられたプラテンバック１１２の主走査方向全体に照射される。
原稿（又はプラテンバック１１２）に照射された光の反射光は、反射板１３４ａ〜１３４ｄを反射して結像レンズ１３６に入射され、結像される。
光電変換素子１３８は、結像レンズ１３６による反射光の結像位置で反射光を受光し、例えばＲＧＢそれぞれのフィルタ（原色フィルタ）が設けられたフォトダイオードによって画素単位のＲＧＢそれぞれの光量（光度エネルギー）に対応するアナログの電気信号を処理回路（図示せず）に対して出力する例えば３ラインカラーＣＣＤである。
処理回路に入力されたアナログの電気信号は、処理回路によってデジタルの読取データに変換され、制御装置２００に入力される。
【００３１】
図３は、図２に示す制御装置２００のハードウェア構成を示す図である。
図３に示すように、制御装置２００は、ＣＰＵ等の演算部２１２及びメモリ等の記憶部２１４などを含む制御部２１０と、通信装置２２０と、記録装置２２２と、ユーザインターフェース装置（ＵＩ装置）２３０とから構成される。
つまり、制御装置２０は、情報処理および他の処理装置又は端末との通信が可能なコンピュータとしてのハードウェア構成部分を有している。
ＵＩ装置２３０は、ＬＣＤ（Liquid Crystal Display）表示装置あるいはＣＲＴ（Cathode Ray Tube）表示装置及びスピーカ等の出力装置およびキーボード・タッチパネルなどを含む。なお、このＵＩ装置２３０は、操作パネル３０２と一体であってもよい。
【００３２】
図４は、第１の実施形態に係る発光部材制御回路５２を示す図である。
発光部材制御回路５２は、発光部材制御部５２２と、抵抗Ｒ１〜Ｒ３と、トランジスタＴｒとから構成されている。
発光部材制御部５２２は、発光部材５０の点灯及び消灯を制御し、さらに、発光部材５０の点灯による光量を制御する。
イネーブル端子Ｅｎにハイ信号（Ｈ信号）が入力されると、発光部材制御部５２２は、発光部材５０を発光させることが可能となる。つまり、イネーブル端子ＥｎにＨ信号が入力されない場合（イネーブル端子Ｅｎにロー信号（Ｌ信号）が入力されている場合）、発光部材制御部５２２は、発光部材５０を発光させることができない。
【００３３】
電圧設定端子Ｖｓｅｔに入力される電圧（電圧設定端子Ｖｓｅｔの電位）が高い程、発光部材制御部５２２は、発光部材５０に大きな電流を流す。
発光部材５０に流れる電流が大きい程、発光部材５０の発光による光量は大きくなる。
つまり、電圧設定端子Ｖｓｅｔに入力される信号がハイ信号（Ｈ信号）である場合の方が、電圧設定端子Ｖｓｅｔに入力される信号がロー信号（Ｌ信号）である場合よりも、発光部材５０の発光による光量は大きくなる。
【００３４】
制御装置２００と発光部材制御部５２２のイネーブル端子Ｅｎとは、ケーブルＣＡ１を介して接続されている。
制御装置２００とトランジスタＴｒのベース端子とは、ケーブルＣＡ２を介して接続されている。
トランジスタＴｒのエミッタ端子と発光部材制御部５２２の電圧設定端子Ｖｓｅｔとは、ケーブルＣＡ３を介して接続されている。
ケーブルＣＡ１〜ＣＡ３は、ハーネス等であってもよい。
抵抗Ｒ１の一端の電位Ｖであり、他端はケーブルＣＡ３に接続されている。
抵抗Ｒ２の一端はトランジスタＴｒのコレクタ端子に接続され、他端は接地されている。
抵抗Ｒ１の一端はケーブルＣＡ３に接続され、他端は接地されている。
【００３５】
制御装置２００からケーブルＣＡ１を介して、Ｈ信号が、発光部材制御部５２２のイネーブル端子Ｅｎに入力される。これにより、発光部材制御部５２２は、発光部材５０を発光させることが可能となる。
【００３６】
制御装置２００からケーブルＣＡ２を介してトランジスタＴｒのベース端子に発信された光量制御信号がロー信号（Ｌ信号）である場合、発光部材制御部５２２の電圧設定端子Ｖｓｅｔに入力される電圧は、
Ｖ１＝Ｖ×Ｒ３／（Ｒ１＋Ｒ３）
となる。
【００３７】
一方、制御装置２００からケーブルＣＡ２を介してトランジスタＴｒのベース端子に発信された光量制御信号がハイ信号（Ｈ信号）である場合、発光部材制御部５２２の電圧設定端子Ｖｓｅｔに入力される電圧は、
Ｖ２＝Ｖ×Ｒ２Ｒ３／（Ｒ１Ｒ２＋Ｒ２Ｒ３＋Ｒ３Ｒ１）
となる。
この場合、Ｖ１＞Ｖ２（つまり、Ｖ１はＨ信号、Ｖ２はＬ信号）である。
つまり、制御装置２００から発信された光量制御信号がＬ信号である場合の方が、制御装置２００から発信された光量制御信号がＨ信号である場合よりも、発光部材５０の発光による光量は大きくなる。
【００３８】
図５は、第１の実施形態に係る読取プログラム６０を示すブロック・ダイアグラムである。
読取プログラム６０は、たとえば、記憶媒体等を介して制御装置２００に供給され、記憶部２１４に記憶され、制御装置２００にインストールされたＯＳ（図示せず）上で、制御装置２００のハードウェア資源を具体的に利用して実行される（以下のプログラムについても同様）。
また、本例では、プログラムの全機能構成がソフトウェアとして制御装置２００にインストールされているが、これに限定されるものではなく、例えば、プログラムの一部がＡＳＩＣなどのハードウェアで実現されてもよい。
なお、制御装置２００にインストールされるプログラムは、ＣＤ−ＲＯＭなどの記憶媒体に記録され、この記憶媒体を介して制御装置２００にインストールされてもよいし、データ信号の形式で配信され、制御装置２００にインストールされてもよい。
【００３９】
図５に示すように、読取プログラム６０は、画像読取処理制御部６００と、発光部材処理部６１０（発光部材制御手段）と、読取データ処理部６２０（検知手段）とから構成される。
発光部材処理部６１０は、発光部材点灯信号発信部６１２と、光量制御信号発信部６１４とから構成されている。
読取データ処理部６２０は、読取データ受信部６２２と、画像処理部６２４と、光量比較部６２６と、光量データ記憶部６２８と、警告部６３０とから構成されている。
【００４０】
使用者がＵＩ装置２３０を使用して、原稿に形成された画像を読み取る処理（画像読取処理）を実行するように操作すると、画像読取処理制御部６００は、発光部材処理部６１０及び読取データ処理部６２０に対し、画像読取処理を実行させるための画像読取処理信号を出力する。
また、画像読取処理が終了した場合、画像読取処理制御部６００は、発光部材処理部６１０及び読取データ処理部６２０に対し、プラテンカバー部１１０の開閉を検知する処理（開閉検知処理）を実行するための開閉検知信号を出力する。
さらに、画像読取処理制御部６００は、画像読取処理信号又は開閉検知信号を出力する場合に、画像読取ユニット１３０を、画像を読み取ることが可能な位置（例えばプラテン部材１０６の端部又は中央）に移動させる。
【００４１】
発光部材点灯信号発信部６１２は、画像読取処理信号又は開閉検知信号を受け付けると、ハイ信号（Ｈ信号）を、ケーブルＣＡ１を介して、発光部材制御部５２２のイネーブル端子Ｅｎに対して送信する。
光量制御信号発信部６１４は、画像読取処理信号を受け付けると、Ｌ信号である光量制御信号を、ケーブルＣＡ２を介して、トランジスタＴｒのベース端子に対して送信する。
一方、光量制御信号発信部６１４は、開閉検知信号を受け付けると、Ｈ信号である光量制御信号を、ケーブルＣＡ２を介して、トランジスタＴｒのベース端子に対して送信する。
つまり、開閉検知処理の場合の方が、画像読取処理の場合よりも、発光部材５０の発光による光量は小さくなる。言い換えれば、開閉検知処理の場合の方が、画像読取処理の場合よりも、発光部材５０の発する光は暗くなる。
【００４２】
読取データ受信部６２２は、光電変換素子１３８によって受光されデジタル信号に変換された読取データを受信する。
また、読取データ受信部６２２は、画像読取処理制御部６００から画像読取処理信号を受け付けた場合、受信した読取データを、画像処理部６２４に対して出力する。
一方、読取データ受信部６２２は、画像読取処理制御部６００から開閉検知信号を受け付けた場合、受信した読取データを、光量比較部６２６に対して出力する。
【００４３】
画像処理部６２４は、読取データに対して画像処理を行い、画像データを生成し、生成された画像データを画像形成部１２に送信して、記録媒体に画像を形成させるための処理を行う。
なお、画像処理部６２４は、単に画像データを記憶するのみでもよいし、その画像データをファクシミリで送信する処理を行ってもよい。
光量比較部６２６は、受信した読取データから、主走査方向における光量（読取光量データ）を算出し、算出された読取光量データと光量データ記憶部６２８に記憶された基準光量データとを比較する。
【００４４】
図６は、第１の実施形態における発光部材５０の光量と主走査方向との関係を示すグラフである。
図６の破線は、プラテンカバー部１１０が閉じている場合であって電圧設定端子Ｖｓｅｔの入力がＬ信号（＝Ｖ２）であるときに発光部材５０が発光しプラテンカバー部１１０に反射して読み取られた光量のデータを示す。
光量データ記憶部６２８は、予め、この光量データを、基準光量データとして、主走査方向と対応付けられて記憶している。
プラテンカバー部１１０が開いている場合、図６の実線で示すように、読取光量データは、基準光量データと比較して小さくなる。
これは、プラテンカバー部１１０が開いている場合は、発光部材５０の発光による光がプラテンカバー部１１０に反射しないので反射光が光電変換素子１３８に読み取られない（又は反射しても光電変換素子１３８に読み取られる光量が小さくなる）からである。
【００４５】
光量比較部６２６は、基準光量データと読取光量データとの差が予め定められた閾値よりも大きい場合、警告部６３０に対して信号を出力する。
一方、光量比較部６２６は、基準光量データと読取光量データとの差が予め定められた閾値以下である場合、発光部材５０を消灯させるように、発光部材処理部６１０を制御する。
このとき、発光部材処理部６１０の発光部材点灯信号発信部６１２は、ロー信号（Ｌ信号）を、ケーブルＣＡ１を介して、発光部材制御部５２２のイネーブル端子Ｅｎに対して送信する。
なお、基準光量データと読取光量データとの差の比較は、基準光量データ及び読取光量データをそれぞれ主走査方向で積分した値を比較してもよいし、基準光量データ及び読取光量データそれぞれのピーク値を比較してもよいし、主走査方向における予め定められた位置の１つ以上（例えば、端部及び中央部）に対応する基準光量データ及び読取光量データを比較してもよい。
【００４６】
警告部６３０は、ＵＩ装置２３０を制御して、使用者に対し、プラテンカバー部１１０が開いていることを通知する。
例えば、警告部６３０は、ブザーを発令してもよいし、ランプを点灯させてもよい。
画像読取処理制御部６００は、上述した開閉検知処理が終了してから予め定められた期間が経過した場合に、発光部材処理部６１０及び読取データ処理部６２０に対して開閉検知信号を出力してもよい。
【００４７】
例えば、警告部６３０によって警告がなされることによって開閉検知処理が終了した場合は、プラテンカバー部１１０は開いているので、比較的短い期間Ｔ１（例えば１０分）が経過した場合に、画像読取処理制御部６００は、発光部材処理部６１０及び読取データ処理部６２０に対して開閉検知信号を出力してもよい。
一方、光量比較部６２６によって発光部材５０が消灯することによって開閉検知処理が終了した場合は、プラテンカバー部１１０は閉じているので、比較的長い期間Ｔ２（例えば１時間）が経過した場合に、画像読取処理制御部６００は、発光部材処理部６１０及び読取データ処理部６２０に対して開閉検知信号を出力してもよい。
この場合、Ｔ２＞Ｔ１である。
【００４８】
図７は、本実施形態に係る開閉検知処理を示すフローチャート（Ｓ１０）である。
なお、以下に示すステップの順序は、適宜、変更してもよく、また、全てのステップが必要であるとは限らない。
【００４９】
ステップ１０２（Ｓ１０２）において、画像読取処理制御部６００は、画像読取処理が終了したことを検知し、開閉検知信号を出力する。
ステップ１０４（Ｓ１０４）において、画像読取処理制御部６００の制御により、画像読取ユニット１３０が、画像を読み取ることが可能な位置に移動する。
ステップ１０６（Ｓ１０６）において、発光部材処理部６１０の処理により、発光部材５０が、画像読取処理の場合よりも光量が小さくなるように点灯する。
【００５０】
ステップ１０８（Ｓ１０８）において、読取データ受信部６２２は、光電変換素子１３８によって受光されデジタル信号に変換された読取データを受信する。
ステップ１１０（Ｓ１１０）において、光量比較部６２６は、受信した読取データから、プラテンカバー部１１０が閉じているか否かを判断し、閉じている場合、処理はＳ１１６に進み、開いている場合、処理はＳ１１２に進む。
ステップ１１２（Ｓ１１２）において、警告部６３０は、ＵＩ装置２３０を制御して、使用者に対し、プラテンカバー部１１０が開いていることを示す警告を通知する。
ステップ１１４（Ｓ１１４）において、画像読取処理制御部６００は、期間Ｔ１が経過したか否かを判断し、期間Ｔ１が経過した場合、処理はＳ１０８に戻り、期間Ｔ１が経過していない場合、Ｓ１１４を繰り返す。
【００５１】
ステップ１１６（Ｓ１１６）において、発光部材処理部６１０の処理により、発光部材５０が消灯する。
ステップ１１８（Ｓ１１８）において、画像読取処理制御部６００は、期間Ｔ２が経過したか否かを判断し、期間Ｔ２が経過した場合、処理はＳ１０４に戻り、期間Ｔ２が経過していない場合、処理はＳ１２０に進む。
ステップ１２０（Ｓ１２０）において、画像読取処理制御部６００は、画像読取処理が開始されたか否かを判断し、開始された場合は処理を終了し、開始されていない場合は、処理はＳ１１８に戻る。
【００５２】
［第２の実施形態］
次に、第２の実施形態を説明する。
図８は、第２の実施形態に係る発光部材制御回路５４を示す図である。
発光部材制御回路５４は、発光部材制御部５２２から構成されている。
制御装置２００と発光部材制御部５２２のイネーブル端子Ｅｎとは、ケーブルＣＡ４を介して接続されている。
制御装置２００と発光部材制御部５２２の電圧設定端子Ｖｓｅｔとは、ケーブルＣＡ５を介して接続されている。
【００５３】
制御装置２００からケーブルＣＡ４を介して、Ｈ信号が、発光部材制御部５２２のイネーブル端子Ｅｎに入力される。これにより、発光部材制御部５２２は、発光部材５０を発光させることが可能となる。
制御装置２００からケーブルＣＡ５を介して、ハイ信号（Ｈ信号）である光量制御信号（電圧値）が、発光部材制御部５２２の電圧設定端子Ｖｓｅｔに入力される。
発光部材制御部５２２は、電圧設定端子ＶｓｅｔにＨ信号である光量制御信号が入力されると、発光部材５０に、画像読取処理の際に必要な光量の光を発するための電流を流す。
これにより、発光部材５０は、画像読取処理の際に必要な光量の光を発する。
【００５４】
図９は、第２の実施形態に係る読取プログラム６４を示すブロック・ダイアグラムである。
読取プログラム６４は、図５に示した読取プログラム６０の発光部材処理部６１０を発光部材処理部６４０に置き換えた構成となっている。
発光部材処理部６４０（発光部材制御手段）は、発光部材点灯信号発信部６４２と、光量制御信号発信部６４４とから構成されている。
【００５５】
発光部材点灯信号発信部６４２は、画像読取処理制御部６００から画像読取処理信号又は開閉検知信号を受け付けると、Ｈ信号を、ケーブルＣＡ４を介して、発光部材制御部５２２のイネーブル端子Ｅｎに対して送信する。
光量制御信号発信部６４４は、画像読取処理制御部６００から画像読取処理信号又は開閉検知信号を受け付けると、Ｈ信号である光量制御信号を、ケーブルＣＡ５を介して、発光部材制御部５２２の電圧設定端子Ｖｓｅｔに対して送信する。
【００５６】
ここで、発光部材点灯信号発信部６４２は、画像読取処理信号を受け付けた場合は、図１０（Ａ）に示すように、期間ｔ１の間、Ｈ信号を発信する。
一方、発光部材点灯信号発信部６４２は、開閉検知信号を受け付けた場合は、図１０（Ｂ）に示すように、期間ｔ２（ｔ１＞ｔ２）の間、Ｈ信号を発信する。
このように、開閉検知処理の場合は画像読取処理の場合よりも、発光部材５０の点灯時間が短いので、第１の実施形態と同様に、開閉検知処理の場合の方が、画像読取処理の場合よりも、発光部材５０の発光による光量は小さくなる。
【００５７】
［第３の実施形態］
次に、第３の実施形態を説明する。
図１１は、第３の実施形態に係る発光部材制御回路５６を示す図である。
発光部材制御回路５６は、発光部材制御部５２２ａ，５２２ｂから構成されている。発光部材制御部５２２ａ，５２２ｂの構成は、発光部材制御部５２２の構成と実質的に同様である。
【００５８】
発光部材制御部５２２ａは、発光部材５０ａ（発光部材Ａ）の点灯及び消灯を制御し、さらに、発光部材５０ａの点灯による光量を制御する。
発光部材制御部５２２ｂは、発光部材５０ｂ（発光部材Ｂ）の点灯及び消灯を制御し、さらに、発光部材５０ｂの点灯による光量を制御する。
発光部材５０ａ，５０ｂは、主走査方向に並べられた複数の発光部材５０を構成し、発光部材５０ａは、例えば、主走査方向における両端近傍に対応する位置に設けられた発光部材５０であり、発光部材５０ｂは、例えば、主走査方向における中央部近傍に対応する位置に設けられた発光部材５０である。
【００５９】
制御装置２００と発光部材制御部５２２ａ，５２２ｂのイネーブル端子Ｅｎとは、それぞれケーブルＣＡ１１，ＣＡ２１を介して接続されている。
制御装置２００と発光部材制御部５２２ａ，５２２ｂの電圧設定端子Ｖｓｅｔとは、それぞれ、ケーブルＣＡ１２，ＣＡ２２を介して接続されている。
制御装置２００からケーブルＣＡ１１，ＣＡ２１を介して、Ｈ信号が、それぞれ、発光部材制御部５２２ａ，５２２ｂのイネーブル端子Ｅｎに入力される。これにより、発光部材制御部５２２ａ，５２２ｂは、それぞれ、発光部材５０ａ，５０ｂを発光させることが可能となる。
【００６０】
制御装置２００からケーブルＣＡ１２，ＣＡ２２を介して、ハイ信号（Ｈ信号）である光量制御信号（電圧値）が、それぞれ、発光部材制御部５２２ａ，５２２ｂの電圧設定端子Ｖｓｅｔに入力される。
発光部材制御部５２２ａ，５２２ｂは、電圧設定端子ＶｓｅｔにＨ信号である光量制御信号（電圧値）が入力されると、それぞれ、発光部材５０ａ，５０ｂに、画像読取処理の際に必要な光量の光を発するための電流を流す。
これにより、発光部材５０ａ，５０ｂは、画像読取処理の際に必要な光量の光を発する。
なお、本実施形態では、発光部材５０ａは主走査方向の両端近傍に１つずつ（計２個）設けられ、発光部材５０ｂは主走査方向の中央部近傍に１つ（計１個）設けられるとするが、発光部材５０ａ，５０ｂは、それぞれ、どこにいくつ設けられてもよい。
【００６１】
図１２は、第３の実施形態に係る読取プログラム６６を示すブロック・ダイアグラムである。
読取プログラム６６は、図５に示した読取プログラム６０の発光部材処理部６１０を発光部材処理部６６０に置き換えた構成となっている。
発光部材処理部６６０（発光部材制御手段）は、発光部材点灯信号発信部６６２ａ，６６２ｂと、光量制御信号発信部６６４とから構成されている。
【００６２】
発光部材点灯信号発信部６６２ａは、画像読取処理制御部６００から画像読取処理信号を受け付けると、Ｈ信号を、ケーブルＣＡ１１を介して、発光部材制御部５２２ａのイネーブル端子Ｅｎに対して送信する。
同様に、発光部材点灯信号発信部６６２ｂは、画像読取処理制御部６００から画像読取処理信号を受け付けると、Ｈ信号を、ケーブルＣＡ２１を介して、発光部材制御部５２２ｂのイネーブル端子Ｅｎに対して送信する。
【００６３】
発光部材点灯信号発信部６６２ａは、画像読取処理制御部６００から開閉検知信号を受け付けると、Ｈ信号を、ケーブルＣＡ１１を介して、発光部材制御部５２２ａのイネーブル端子Ｅｎに対して送信する。
一方、発光部材点灯信号発信部６６２ｂは、画像読取処理制御部６００から開閉検知信号を受け付けると、Ｌ信号を、ケーブルＣＡ２１を介して、発光部材制御部５２２ｂのイネーブル端子Ｅｎに対して送信する。
【００６４】
上述した発光部材点灯信号発信部６６２ａ，６６２ｂの処理により、画像読取処理の場合は全ての発光部材５０が点灯するが、開閉検知処理の場合は両端部の発光部材５０ａのみが点灯する。
光量制御信号発信部６６４は、画像読取処理制御部６００から画像読取処理信号又は開閉検知信号を受け付けると、Ｈ信号である光量制御信号を、それぞれ、ケーブルＣＡ１２，ＣＡ２２を介して、発光部材制御部５２２ａ，５２２ｂの電圧設定端子Ｖｓｅｔに対して送信する。
なお、光量制御信号発信部６６４は、発光部材制御部５２２ａ，５２２ｂそれぞれに対応付けて別個に設けるようにしてもよい。この場合、発光部材制御部５２２ｂに対応する光量制御信号発信部６６４は、開閉検知処理の場合は、Ｌ信号を発信するようにしてもＨ信号を発信するようにしてもよい。
【００６５】
図１３は、第３の実施形態における発光部材５０の光量と主走査方向との関係を示すグラフである。
図１３の破線は、プラテンカバー部１１０が閉じている場合に発光部材５０ａが発光しプラテンカバー部１１０に反射して読み取られた光量のデータである。
光量データ記憶部６２８は、予め、この光量データを、基準光量データとして、主走査方向と対応付けられて記憶している。
プラテンカバー部１１０が開いている場合、図１３の実線で示すように、読取光量データは、基準光量データと比較して小さくなる。
第３の実施形態では、開閉検知処理の場合は一部の発光部材５０のみを発光させるので、図１３に示す光量データは、図６に示す光量データと異なり、主走査方向の中央近傍は、光量が小さく、主走査方向の両端近傍は、光量が大きくなっている。
【００６６】
なお、上述した実施形態においては、第１の実施形態、第２の実施形態及び第３の実施形態それぞれについて別個に構成を説明したが、第１の実施形態、第２の実施形態及び第３の実施形態それぞれの構成は、互いに、適宜、組み合わせ可能である。
つまり、第１の実施形態と第２の実施形態とを組み合わせて、開閉検知処理の場合に、発光部材制御部５２２（図４）の電圧設定端子Ｖｓｅｔに入力される電圧値を、画像読取処理の場合よりも小さくし、且つ、イネーブル端子Ｅｎに、期間ｔ２（図１０）の間、Ｈ信号が入力されるようにしてもよい。
【００６７】
また、第１の実施形態と第３の実施形態とを組み合わせて、開閉検知処理の場合に、発光部材制御部５２２ａ（図１１）の電圧設定端子Ｖｓｅｔに入力される電圧値を、画像読取処理の場合よりも小さくしてもよい。
また、第１の実施形態と第３の実施形態とを組み合わせて、開閉検知処理の場合に、発光部材制御部５２２ｂ（図１１）のイネーブル端子ＥｎにＨ信号を入力し、且つ、発光部材制御部５２２ｂの電圧設定端子Ｖｓｅｔに入力される電圧値を、画像読取処理の場合よりも小さくすることにより、開閉検知処理の場合に、発光部材５０ａを画像読取処理の場合と同様に発光させ、発光部材５０ｂを画像読取処理の場合よりも暗くなるように発光させるようにしてもよい。
【符号の説明】
【００６８】
１０  画像形成装置
１００  画像読取装置
１０６  プラテン部材
１０４  画像読取装置本体
１１０  プラテンカバー部
１３０  画像読取ユニット
２００  制御装置
５０  発光部材
５２，５４，５６  発光部材制御回路
５２２  発光部材制御部
６０，６４，６６  読取プログラム
６００  画像読取処理制御部
６１０，６４０，６６０  発光部材処理部
６１２，６４２，６６２  発光部材点灯信号発信部
６１４，６４４，６６４  光量制御信号発信部
６２０  読取データ処理部
６２２  読取データ受信部
６２４  画像処理部
６２６  光量比較部
６２８  光量データ記憶部
６３０  警告部
【図１】
2014011766.tif 000003
【図２】
2014011766.tif 000004
【図３】
2014011766.tif 000005
【図４】
2014011766.tif 000006
【図５】
2014011766.tif 000007
【図６】
2014011766.tif 000008
【図７】
2014011766.tif 000009
【図８】
2014011766.tif 000010
【図９】
2014011766.tif 000011
【図１０】
2014011766.tif 000012
【図１１】
2014011766.tif 000013
【図１２】
2014011766.tif 000014
【図１３】
2014011766.tif 000015